(57)【要約】【課題】サンプル点を等間隔で間引いて利用価値の高い間引きデータを生成することが可能な観測表示装置を提供する。【解決手段】デジタルオシロスコープ１００は、チャンネルＣＨ１のアナログ波形信号をサンプリングした観測データの各サンプル点に対して、メモリ２１４に設定された所定数ｎ個毎に観測データを分割し、分割した各区間内において時間軸に沿って１からｎまでの位相を順々に割り振る。そして、位相を「２」から「ｎ」まで変更して位相に対応するサンプル点をそれぞれの区間から順々にリサンプルする処理を各位相毎に所定数ｎ通り行い、所定数ｎ種類の間引きデータを生成して表示器１１６に表示し、ユーザにより選択されたいずれかの間引きデータを記憶する処理を行う。【選択図】図４
2008180615.tif 000002
【特許請求の範囲】
【請求項１】
被観測事象から得られる信号をサンプリングしたサンプル点を含む観測データを取得する観測データ取得手段と、
前記観測データ取得手段により取得された観測データに含まれるサンプル点をリサンプルして間引く処理を行い、複数種類の間引きデータを生成する間引きデータ生成手段と、
前記間引きデータ生成手段により生成された複数種類の間引きデータのうち、いずれかの間引きデータを選択するためのデータ選択手段とを備えたことを特徴とする観測表示装置。
【請求項２】
被観測事象から得られる信号をサンプリングしたサンプル点を含む観測データを取得する観測データ取得手段と、
前記観測データ取得手段により取得された観測データに含まれるサンプル点を所定数個置きにリサンプルして間引く処理を、位相を順々に変えて所定数通り行い、所定数種類の間引きデータを生成する間引きデータ生成手段と、
前記間引き手段が生成した所定数種類の間引きデータを表示する間引き表示手段と、
前記間引き表示手段に表示された所定数の種類の間引きデータのうち、いずれかの間引きデータを選択するためのデータ選択手段とを備えたことを特徴とする観測表示装置。
【請求項３】
請求項２に記載の観測表示装置において、
ユーザの操作に応じて、前記間引きデータ生成手段が前記観測データ取得手段により取得された観測データに含まれるサンプル点をリサンプルして間引く個数を設定する間引き数設定手段をさらに備えたことを特徴とする観測表示装置。
【請求項４】
請求項２または３に記載の観測表示装置において、
前記間引きデータ生成手段により生成された所定数種類の間引きデータのうち、前記観測データから得られる所定値を含む間引きデータを選択する所定値選択手段をさらに備えたことを特徴とする観測表示装置。
【請求項５】
請求項１から４のいずれかに記載の観測表示装置において、
前記観測データ取得手段は、
電圧信号をサンプリングしたサンプル点を含む波形データを取得することを特徴とする観測表示装置。
【発明の詳細な説明】
【技術分野】
【０００１】
本発明は、電圧信号等の被観測事象をサンプリングした観測データを表示する観測表示装置に係り、特に、観測データを間引く処理を行う構成に関するものである。
【背景技術】
【０００２】
従来、例えばデジタルオシロスコープ等のように、電子デバイス等から出力される電圧信号等の被観測事象を観測しつつ、一定の時間間隔でサンプリングして取得したサンプル点等の観測データを画面に表示する観測表示装置では、取得したサンプル点を時間軸に沿ってプロットすることで、画面上に波形を生成して表示している。そして、動作周波数の高い電子デバイスから出力される電圧信号等を観測した場合には、サンプル点の数量が何万点以上となり、ＰＣ等で統計処理を行う際に作業量が膨大となったり、表計算用ソフトウェアの行数制限により処理し切れない場合があるため、サンプル点をある程度減らして間引く処理を行っている。
【０００３】
以下の特許文献１に記載された観測表示装置では、１対のデータ間引き回路および１対のＰＰ圧縮回路を備えており、遅いサンプリング速度により画面上で通常の波形表示を行いつつ、速いサンプリングスピードでトリガ点の近傍のデータを取得及び保存し、その波形データも同じ画面上で表示する。トリガ点が連続したためにプリトリガ領域のデータが不足する場合には、ブロック間でコピーを行い不足分のデータを補充することにより、データが不足してトリガ点が無視されることを防止するようにしている。
【特許文献１】特開２００１−２７２４２０号公報（図１）
【発明の開示】
【発明が解決しようとする課題】
【０００４】
また従来の観測表示装置では、以下の例に挙げるサンプル点の間引き処理を行い、膨大なサンプル点の数量を減らして統計を行う際の作業量を軽減している。図５は、Ｐｅａｋ−ｔｏ−Ｐｅａｋ値を用いてリサンプルすることにより全体のデータ数を間引く第１の方法を示す説明図である。この方法では、整数値ｎを用いて連続する２ｎ個のデータを１区間とし、区間ごとにサンプル点の全体データを分割している。そして、これらの分割した各区間の中のＰｅａｋ−ｔｏ−Ｐｅａｋ値、即ち最大値と最小値の２点をその区間の代表値としてそれぞれの区間毎にリサンプルし、全体のデータ数を１／ｎに間引いた間引きデータを生成する。
【０００５】
次に図６は、ｎ個置きに単純にリサンプルすることにより全体のデータ数を間引く第２の方法を示す説明図である。この方法では、整数値ｎを用いて連続するｎ個のデータを１区間とし、区間ごとにサンプル点の全体データを分割している。そして、これらの分割した各区間の中のサンプル点を１番目からｎ番目までそれぞれの区間毎にリサンプルし、全体のデータ数を１／ｎに間引いたｎ通りの間引きデータを生成する。そして、予め設定された内容に従ってｎ通りのうちの特定の間引きデータを選択する。
【０００６】
しかしながら、このような従来技術における観測表示装置の方法には以下の問題がある。先ず、Ｐｅａｋ−ｔｏ−Ｐｅａｋ値を用いてリサンプルする第１の方法の場合には、分割した各区間の最大値と最小値の２点を含んでおり、全体データの波形の特徴を表した間引きデータを生成できる利点があるが、リサンプルした点の間隔が一定ではない。このため、間引きデータを使用した時間軸系の測定やＦＦＴ（高速フーリエ変換）演算、波形データのチャンネル間の演算等の後の処理には利用しにくいという問題がある。
【０００７】
次に、ｎ個置きに単純にリサンプルする第２の方法の場合には、リサンプルした点の間隔が一定であるため、時間軸系の測定やＦＦＴ演算、波形データのチャンネル間の演算等の間引きデータを使用した後の処理には利用しやすいという利点があるが、その間引きデータに全体データの波形の最大値や最小値等を必ずしも含んでいるとは限らない。このため、予め設定された内容によっては、全体データの波形の特徴を表した間引きデータを選択されない場合があった。
【０００８】
そこで本発明は、サンプル点を等間隔で間引いて利用価値が高い間引きデータを生成することが可能な観測表示装置を提供することを課題とする。
【課題を解決するための手段】
【０００９】
以上のような課題を達成するために、本発明に係る観測表示装置は、被観測事象から得られる信号をサンプリングしたサンプル点を含む観測データを取得する観測データ取得手段と、前記観測データ取得手段により取得された観測データに含まれるサンプル点をリサンプルして間引く処理を行い、複数種類の間引きデータを生成する間引きデータ生成手段と、前記間引きデータ生成手段により生成された複数種類の間引きデータのうち、いずれかの間引きデータを選択するためのデータ選択手段とを備えたことを特徴とする。
【００１０】
このような構成により、間引きデータ生成手段により観測データに含まれるサンプル点をリサンプルして間引き、複数種類の間引きデータを生成しておくことで、その後の処理や必要に応じて最大値、最小値等を含む間引きデータや全体データの波形の特徴を最も表した間引きデータをデータ選択手段で選択することで利用価値が高い間引きデータを取得することが可能となる。
【００１１】
また、本発明に係る他の観測表示装置は、被観測事象から得られる信号をサンプリングしたサンプル点を含む観測データを取得する観測データ取得手段と、前記観測データ取得手段により取得された観測データに含まれるサンプル点を所定数個置きにリサンプルして間引く処理を、位相を順々に変えて所定数通り行い、所定数種類の間引きデータを生成する間引きデータ生成手段と、前記間引き手段が生成した所定数種類の間引きデータを表示する間引き表示手段と、前記間引き表示手段に表示された所定数の種類の間引きデータのうち、いずれかの間引きデータを選択するためのデータ選択手段とを備えたことを特徴とする。
【００１２】
このような構成により、間引きデータ生成手段により観測データに含まれるサンプル点を所定数個置きにリサンプルして間引く処理を、位相を順々に変えて所定数通り行い、サンプル点を等間隔で間引いた所定数種類の間引きデータを生成して表示しておく。そして、これらの所定数種類の間引きデータのうち、ユーザの必要に応じて最大値、最小値等を含む間引きデータや全体データの波形の特徴を最も表した間引きデータをデータ選択手段で選択することにより、その後の処理にも有効に利用できる利用価値の高い間引きデータを採択することが可能となる。
【００１３】
本発明の観測表示装置は、ユーザの操作に応じて、前記間引きデータ生成手段が前記観測データ取得手段により取得された観測データに含まれるサンプル点をリサンプルして間引く個数を設定する間引き数設定手段をさらに備えていても良い。
【００１４】
このような構成により、間引き数設定手段が、ユーザの操作に応じて観測データに含まれるサンプル点をリサンプルして間引く個数を変更して、その後の処理等において、ユーザの必要に応じた個数を含む適切なデータ量まで減らす設定を行うことができる。これにより、サンプリング後のデータ処理に対応した利用価値の高い間引きデータを生成することができる。
【００１５】
また本発明の観測表示装置は、前記間引きデータ生成手段により生成された所定数種類の間引きデータのうち、前記観測データから得られる所定値を含む間引きデータを選択する所定値選択手段をさらに備えても良い。
【００１６】
このような構成により、ユーザが例えば最大値を含む間引きデータを必要としている際に、所定値選択手段によって自動的に観測データの中から最大値の選択を行って、所定数種類の間引きデータの中からこのような間引きデータを効率良く取得することができる。また最大値以外に所定値として、観測データの中の最小値や、間引きデータの最大値と最小値の差（Ｐｅａｋ−ｔｏ−Ｐｅａｋ値）の最大のもの、あるいは最小のもの等が自動選択される構成であっても良い。
【００１７】
さらに、上述の観測表示装置において、前記観測データ取得手段は、電圧信号をサンプリングしたサンプル点を含む波形データを取得することとしても良い。このような構成により、電子デバイス等から出力された電圧信号をサンプリングした波形データにおいて、サンプル点を等間隔で間引くことにより、利用価値の高い間引きデータを生成することが可能となる。
【発明の効果】
【００１８】
本発明に係る観測表示装置によれば、サンプル点を等間隔で間引いて利用価値が高い間引きデータを生成することが可能となるという効果が得られる。
【発明を実施するための最良の形態】
【００１９】
以下、本発明の一実施形態について図面を用いて詳細に説明する。
図１は、観測表示装置の一実施形態であるデジタルオシロスコープ１００の構成例を示したブロック図である。ここでは電子デバイス等を被測定対象とし、そこから出力される電圧信号等のアナログ信号を被観測事象の一例とする。デジタルオシロスコープ１００は、被観測事象からの信号を観測して、一定の時間間隔のサンプリング時期とサンプリング個数に基づいてサンプリングを行い、取得した観測データに含まれるサンプル点を所定数個置きにリサンプルして間引き表示する装置である。
【００２０】
図１には、デジタルオシロスコープ１００の詳細な構成要素が挙げられている。具体的には、アナログ信号又はデジタル信号の入力に関してタイムベース２００及びトリガ回路２０２が挙げられている。タイムベース２００は、Ａ／Ｄコンバータ１０６で実行されるＡ／Ｄ変換プロセスを起動し、チャンネルＣＨ１のアナログ波形信号のサンプリング周期を指定する。またトリガ回路２０２は、データ処理回路１０８に対してトリガ信号を出力する。
【００２１】
そして、Ａ／Ｄコンバータ１０６は、タイムベース２００から指定されたサンプリング周期に従い、チャンネルＣＨ１に接続された被測定対象から得られるアナログ波形信号を入力回路１０２を介してサンプリングしたサンプル点をデジタル信号に変換する。データ処理回路１０８は、ＣＰＵ２０２より予め設定されたサンプリング個数のデータをアクイジションメモリ１１０に記憶する。つまり、プリトリガ分のデータをアクイジションメモリ１１０に記憶した後に発生するトリガ信号を受けて、ポストトリガ分のデータをアクイジションメモリ１１０に記憶して取込みを終了する。最後に取込まれたデータから遡って指定されていたサンプリング個数分のデータが有効なデータとなる。また、データ処理回路１０８はアクイジションメモリ１１０に記憶する前に、間引き処理や一定間隔毎のピーク検出処理等を行う場合もある。
【００２２】
なお図１には示されていないが、データ処理回路１０８から表示用データ処理回路１１２に観測データを転送する際、２次データ処理回路等で２次的なデータ処理を行い、この処理済みのデータを一旦メモリに格納する構成を有する場合もあり、このメモリをアクイジションメモリと言う場合もある。さらに、このようなデータ処理が数段階に及び、いわゆるパイプライン処理で表示用データ処理回路１１２に送信される場合もある。さらに波形画像を表示器１１６に表示する機能を有する場合もある。
【００２３】
図１に示されているＣＰＵ２１２は、バス２１０を介してデータ処理回路１０８や表示用データ処理回路１１２を制御し、さらにはアクイジションメモリ１１０や表示用メモリ１１４に対するアクセスを制御している。ＣＰＵ２１２は、チャンネルＣＨ１から入力されたアナログ波形信号に対応する観測データをアクイジションメモリ１１０から読み出し、この観測データに基づいて被観測事象を画像化させた波形画像を表示器１１６に表示する機能を有する。
【００２４】
また、ＣＰＵ２１２は、アクイジションメモリ１１０に記憶された観測データに含まれるそれぞれのサンプル点を所定数ｎ個置きにリサンプルして間引く処理を、位相を順々に変えて所定数ｎ通り行い、所定数ｎ種類の間引きデータを生成する機能を有する。メモリ２１４は、予めユーザによるキーボード１１８の操作に応じて、間引き処理においてサンプル点をリサンプルして間引く個数ｎが設定されて記憶している。ＣＰＵ２１２は、この間引く個数に設定された所定数ｎ個置きに観測データに含まれるサンプル点をリサンプルして間引く処理を所定数通り行い、表示器１１６に表示する。
【００２５】
メモリ２１４には組み込み型のＯＳ（オペレーティングシステム）が格納されており、ＣＰＵ２１２がＯＳを実行することで、デジタルオシロスコープ１００内にマイクロコンピュータとしてのプラットフォームが構築されている。このようなプラットフォームは、インタフェース回路２１６を通じて外部の汎用パーソナルコンピュータやストレージ機器等との通信を実現し、これによりアクイジションメモリ１１０や表示用メモリ１１４に格納されているデータをストレージ機器に転送して保存したり、パーソナルコンピュータで利用したりすることができる。なおインタフェース回路２１６は、例えば高速シリアル通信に対応するものや、ＬＡＮ等のネットワーク通信プロトコルに対応するものである。
【００２６】
上述したキーボード１１８を用いた操作入力は、詳細にはユーザインタフェース回路２０４を通じて行われる。ユーザインタフェース回路２０４もまた、ＣＰＵ２１２を中心としたプラットフォーム上で動作する。ユーザは、このキーボード１１８を用いて、ＣＰＵ２１２が生成した所定数種類の間引きデータのうち、時間軸系の測定やＦＦＴ演算等の後の処理に応じていずれかの間引きデータを選択操作する。
【００２７】
以上がデジタルオシロスコープ１００としての構成である。続いて、デジタルオシロスコープ１００の観測データを間引いて生成した所定数種類の間引きデータをユーザが選択する動作について、図２に示すフローチャートを用いて説明する。ここでアクイジションメモリ１１０には、図３に示すように、データ処理回路１０８によってチャンネルＣＨ１のアナログ波形信号をサンプリングした各サンプル点の観測データが記憶されている。図３に示す例では、サンプリング周波数をｆｓ、サンプリング周期をｔｓ、トリガ点の直後のサンプル点までの時間をｔＴ−Ｓとしてアナログ波形信号のサンプリングを行っている。
【００２８】
ステップＳ２０１：ＣＰＵ２１２は、データ処理回路１０８を制御して、メモリ２１４に設定された所定数ｎ個毎に観測データを分割する処理を行う。データ処理回路１０８によりアクイジションメモリ１１０から観測データを読み出し、この観測データに含まれる時間軸に沿ったそれぞれのサンプル点を、トリガ点から順々に計数していきメモリに記憶された所定数ｎ個分を１つの区間として所定数ｎ個毎の各区間に分割していく。
【００２９】
例えば、メモリ２１４に所定数ｎとして「５」が設定されている場合には、ＣＰＵ２１２は、図３に示すように、観測データの時間軸に沿ったそれぞれのサンプル点をトリガ点から計数して５個毎に１つの区間として分割する。
【００３０】
ステップＳ２０２：ＣＰＵ２１２は、データ処理回路１０８を制御して、観測データに含まれる各区間内の所定数ｎ個のサンプル点にそれぞれ位相を割り当てる処理を行う。具体的には、データ処理回路１０８によりステップＳ２０１において分割した各区間内の所定数ｎ個のサンプル点のそれぞれに対して、時間軸に沿ってトリガ点側から１からｎまでの位相を順々に割り振る。
【００３１】
例えば、メモリ２１４に所定数ｎとして「５」が設定されている場合には、ＣＰＵ２１２は、図３に示すように、各区間内の５個のサンプル点に対して、トリガ点側から１からｎまでの位相を順々に割り振る。図３に示す例では、観測データに含まれる最初の区間において、トリガ点から時間軸上で時間ｔＴ−Ｓの最初のサンプル点に位相１を割り振る。そして、時間軸上で時間（ｔＴ−Ｓ＋ｔｓ），（ｔＴ−Ｓ＋ｔｓ×２），（ｔＴ−Ｓ＋ｔｓ×３），（ｔＴ−Ｓ＋ｔｓ×４）のサンプル点にそれぞれ位相２，３，４，５を割り振る。
【００３２】
ステップＳ２０３：ＣＰＵ２１２は、データ処理回路１０８を制御して、観測データに含まれる各区間内のサンプル点を所定数ｎ個置きにリサンプルして間引く処理を各位相毎に所定数ｎ通り行い、所定数ｎ種類の間引きデータを生成する処理を行う。まず、データ処理回路１０８によりステップＳ２０２において割り振った位相が「１」に対応するサンプル点を、トリガ点側の区間からそれぞれ順々にリサンプルしていき、所定数ｎ個置きに間引いて「位相１」の間引きデータ（サンプル点の集合）を生成する。そして、続いて位相を「２」からｎまで変更して位相に対応するサンプル点をそれぞれの区間から順々にリサンプルする処理を各位相毎に所定数ｎ通り行い、所定数ｎ種類の間引きデータを生成する。これらの所定数ｎ種類の間引きデータは、アクイジションメモリ１１０に記憶されているデータなので、使用するときにアクイジションメモリ１１０から読み出してもよいし、他のメモリにコピーしておいてもよい。
【００３３】
例えば、メモリ２１４に所定数ｎとして「５」が設定されている場合には、ＣＰＵ２１２は、図４に示すように、位相を「１」から「５」まで変更して、位相に対応するサンプル点をそれぞれの区間から順々にリサンプルする処理を各位相毎に５通り行い、５種類の間引きデータを生成する。図４に示す例では、サンプリング周波数ｆｓ、サンプリング周期ｔｓの観測データを５個置きにリサンプルして間引いていき、サンプリング周波数ｆｓ’＝ｆｓ／５、サンプリング周期ｔｓ’＝ｔｓ×５の間引きデータを生成することができる。
【００３４】
ステップＳ２０４：ＣＰＵ２１２は、所定数ｎ通りの間引きデータに基づいて表示用データ処理回路１１２にて画像データを生成し、表示器１１６に間引き後の波形を表示する処理を行う。
【００３５】
ステップＳ２０５：ＣＰＵ２１２は、表示器１１６に表示された所定数ｎ種類の間引きデータのうち、ユーザにより選択されたいずれかの間引きデータを記憶する処理を行う。このときユーザは表示器１１６に表示された所定数ｎ種類の間引きデータを見て確認し、キーボード１１８を操作する。あるいは、ユーザは通信コマンドを出力して時間軸系の測定やＦＦＴ演算、波形データのチャンネル間の演算等の後の処理の条件に応じた所望の間引きデータを選択する。ＣＰＵ２１２は、この選択された間引きデータをアクイジションメモリ１１０から読み出し、図示しない記録媒体や間引きデータ保存用の記憶部、インタフェース回路２１６を介して接続されたネットワーク上の大容量ストレージ機器等に記憶する。
【００３６】
例えば、図４に示すように、表示器１１６に５種類の間引きデータが表示されている場合には、ユーザがキーボード１１８を操作して後の処理の条件に応じて位相「１」の間引きデータを選択したことに応じて、ＣＰＵ２１２は、位相「１」の間引きデータをアクイジションメモリ１１０から読み出し、図示しない記録媒体や間引きデータ保存用の記憶部、大容量ストレージ機器等に記憶する。
【００３７】
以上のように、本実施の形態におけるデジタルオシロスコープ１００は、チャンネルＣＨ１のアナログ波形信号をサンプリングした観測データの各サンプル点に対して、メモリ２１４に設定された所定数ｎ個毎に観測データを分割し、分割した各区間内において時間軸に沿って１からｎまでの位相を順々に割り振る。そして、位相を「２」から「ｎ」まで変更して位相に対応するサンプル点をそれぞれの区間から順々にリサンプルする処理を各位相毎に所定数ｎ通り行い、所定数ｎ種類の間引きデータを生成して表示器１１６に表示し、ユーザにより選択されたいずれかの間引きデータを記憶する処理を行う。
【００３８】
このため、観測データに含まれるサンプル点をリサンプルして間引く個数分の位相を変更して、サンプル点を等間隔で間引いた複数種類の間引きデータを生成しておき、表示器１１６に表示された各間引きデータをユーザが見て確認することにより、後の処理や必要に応じて最大値、最小値等を含む間引きデータや全体データの波形の特徴を最も表した間引きデータ等の適切な間引きデータの選択が可能となり、後の処理で有効に利用できる利用価値の高い間引きデータを取得することができる。
【００３９】
これによって、例えば未知の波形を高速サンプリング（大容量データ）して取り込んでおき、これをリサンプルして間引いたものの中から、できるだけ元の波形の特徴を残しながら必要なデータ数に間引いたものを保存することが可能になる。また、間引かれた後のデータは個々に独立した波形データとして扱うことが可能であることから、元々間引かれた後のサンプルレートで波形を取り込んだものと全く同様の扱い（波形データの自動測定、ＦＦＴ演算、時間軸方向の拡大表示等の通常操作）が可能であり、その利用価値が極めて高いものとなる。
【００４０】
また、ユーザがキーボード１１８を操作して、メモリ２１４に予め間引き処理において間引く個数ｎを変更して設定しておくことにより、後の処理等において、ユーザの必要に応じた個数のサンプル点を含む適切なデータ量まで減らす設定を行うことができる。
【００４１】
〔他の実施の形態〕
上述の実施の形態において、ＣＰＵ２１２は、表示器１１６に表示された所定数ｎ種類の間引きデータのうち、例えば観測データ内の電圧の最大値のような所定値を含む間引きデータを自動的に選択し、記憶する処理を行うこととしても良い。このような処理を行うことで、ユーザが観測データの最大値を含む間引きデータを必要としている際に、自動的に選択を行って所定数種類の間引きデータの中からこのような間引きデータを効率良く取得することができる。また観測データの中から得られる所定値として、最大値以外にも最小値であったり、間引きデータの最大値と最小値の差（Ｐｅａｋ−ｔｏ−Ｐｅａｋ値）の最大のもの、あるいは最小のもの等の自動選択ができる構成であっても良い。
【００４２】
また、上述の実施の形態において、図２中のステップＳ２０４で所定数ｎ種類の間引きデータを表示器１１６に表示した後、ユーザが表示器１１６を確認しながらキーボード１１８を操作してメモリ２１４で間引く個数ｎの数値を順次変更して設定することに応じてステップＳ２０１〜Ｓ２０４の処理を繰り返し実行し、表示器１１６で表示された間引きデータを見ながら間引きの度合い（間引き率）を調整可能であっても良い。
【００４３】
上述の実施の形態において、予めユーザが所定の数値範囲をメモリ１２４を設定しておき、ＣＰＵ２１２は、表示器１１６に表示された所定数ｎ種類の間引きデータのうち、この設定された所定の数値範囲を重なる波形を有する間引きデータを自動的に検出して選択し、記憶する処理を行うこととしても良い。
【００４４】
また、ユーザが選択操作をしなくても、リサンプルした後のｎ種類の間引きデータはそれぞれ独立した波形データとして扱うことができるので、デジタルオシロスコープ１００の自動測定機能を用いて保存する対象の間引きデータを自動的に選択することもできる。例えば、ｎ通りの間引きデータについて、それぞれについて波形パラメータの自動測定結果を用いると、ある区間の最大値をそれぞれの波形について求め、さらにその値が最大になるものを選択して保存するといった処理を実行可能である。
【００４５】
あるいは、リサンプルして得た間引きデータをアクイジションメモリ１１０に蓄積しておくことで、独立したｎ種類の間引きデータについて、それぞれで表される波形がある一定の範囲を通過しているか否か、あるいは波形パラメータの値がある一定の範囲内に入っているか否か等の条件を用いて候補を絞り込み、その中から最適な波形をユーザが見て選択したり、自動的に選択したりするという利用の仕方も可能となる。
【００４６】
さらに、例えばデジタルオシロスコープ１００が波形パラメータの自動測定機能を有する場合、この機能用いることで、ｎの数を大きくしていっても必ず区間内での最大値を含む波形を選択することが可能である。この場合、間引き率を変えるごとに常に最大値を含む位相の波形を表示させることにより、ユーザから見てどの程度までなら元の観測データを間引いても波形として問題ないか（元の波形の特徴が崩れないか）を視覚的に確認しながら間引き率を選択するという利用の仕方が可能となる。
【図面の簡単な説明】
【００４７】
【図１】本実施形態の観測表示装置の構成を示す説明図である。
【図２】本実施形態の観測表示装置の動作を示すフローチャートである。
【図３】本実施形態の観測表示装置の観測データを示す説明図である。
【図４】本実施形態の観測表示装置で生成された間引きデータを示す説明図である。
【図５】従来技術の観測表示装置で生成された第１の方法の間引きデータを示す説明図である。
【図６】従来技術の観測表示装置で生成された第２の方法の間引きデータを示す説明図である。
【符号の説明】
【００４８】
１００    デジタルオシロスコープ
１０２    入力回路
１０６    Ａ／Ｄコンバータ
１０８    データ処理回路
１１０    アクイジションメモリ
１１２    表示用データ処理回路
１１４    表示用メモリ
１１６    表示器
１１８    キーボード
２００    タイムベース
２０２    トリガ回路
２０４    ユーザインタフェース回路
２１０    バス
２１２    ＣＰＵ
２１４    メモリ
２１６    インタフェース回路
【図１】
2008180615.tif 000003
【図２】
2008180615.tif 000004
【図３】
2008180615.tif 000005
【図４】
2008180615.tif 000006
【図５】
2008180615.tif 000007
【図６】
2008180615.tif 000008